(57)【特許請求の範囲】
【請求項１】
浴槽内の湯を浴槽の内面に開口した吸入口から取り出して浴槽の内面に開口した排出口から浴槽内に戻すループ状の循環路と、排出口及び吸入口の間の循環路の途中に位置して内部の湯を強制的に循環させるためのポンプと、この循環路の途中に位置して循環路内の湯を７０℃以上の高温に加熱する高温加熱部と、この高温加熱部で加熱された湯を冷却するための冷却部と、前記循環路の途中に設けられ循環されてきた浴槽の湯を浄化することができる濾過部とを備えた循環温浴器であって、
循環路の一部を、高温加熱部を有する高温加熱経路と、この高温加熱経路からバイパス状に延びるとともに高温加熱部を有しないパイパス経路とで構成し、
高温加熱経路へのバイパス経路の合流部を冷却部とし、この冷却部において高温加熱経路を通って高温に加熱された湯とバイパス経路を通って加熱されていない湯とを混合することにより、適温の湯を排出口から浴槽に供給可能に形成するとともに、
前記バイパス経路の途中に濾過部を設けたことを特徴とする循環温浴器。
【請求項２】
浴槽内の湯を浴槽の内面に開口した吸入口から取り出して浴槽の内面に開口した排出口から浴槽内に戻すループ状の循環路と、排出口及び吸入口の間の循環路の途中に位置して内部の湯を強制的に循環させるためのポンプと、この循環路の途中に位置して循環路内の湯を７０℃以上の高温に加熱する高温加熱部と、この高温加熱部で加熱された湯を冷却するための冷却部と、前記循環路の途中に設けられ循環されてきた浴槽の湯を浄化することができる濾過部とを備えた循環温浴器であって、
循環路の一部を、高温加熱部を有する高温加熱経路と、高温加熱部を有しない非加熱経路とから分岐させて構成し、
高温加熱経路と非加熱経路との合流部を冷却部とし、冷却部において高温加熱経路を通って高温に加熱された湯と非加熱経路を通って加熱されていない湯とを混合することにより、適温の湯を排出口から浴槽に供給可能に形成するとともに、
前記冷却部から浴槽への戻り側の循環路に濾過部を設けたことを特徴とする循環温浴器。
【請求項３】
請求項２記載の循環温浴器において、
吸入口は、方形状の浴槽の長手方向の一端側の内面に形成され、
排出口は、浴槽の長手方向の他端側の内面であって、前記吸入口が形成された面と対向する面に形成されていることを特徴とする循環温浴器。
【請求項４】
請求項２または請求項３記載の循環温浴器において、
吸入口は、浴槽の一つの面の上下左右であって、右上部、左上部、右下部及び左下部に形成され、
右上部及び左下部の吸入口と、左上部及び右下部の吸入口と、のいずれか一方が、高温加熱部を有する高温加熱経路に接続され、
いずれか他方が、高温加熱部を有しない非加熱経路に接続されていることを特徴とする循環温浴器。
【発明の詳細な説明】
【０００１】
【発明の属する技術分野】
この発明は浴槽の湯を常時、保温、濾過しながら、循環させる循環温浴器に関する。
【０００２】
【先行技術】
従来の循環温浴器は、特に図示しないが、浴槽の湯を浴槽の内部から取り出して、浴槽に戻すループ状の循環路と、この循環路の途中に位置して浴槽の湯を浄化する濾過器と、循環路の途中に位置して浴槽の湯を４０数度程度の適温に維持する温度調整部とを備えたものであった。すなわち、使った湯を補いながら、一定の温度の湯が常に循環する仕組みとなっているものである。
【０００３】
そして、この循環温浴器は、連続して、稼働させ続けることができるため、水の入れ替えや浴槽の掃除に手間がかからず、「２４時間風呂」の名称で人気を集めているものであった。
ところが、この「２４時間風呂」において、レジオネラ菌が見つかった。このレジオネラ菌は、土の中や淡水中に生息している常在菌であって、アメーバ等の原生動物に取り囲まれ、その中で繁殖することが多いものであり、温泉やビルの冷却塔でも存在が確認されているものである。このレジオネラ菌は、周囲の温度環境が２５度から４３度の範囲が生育するには適温となっているものである。低温には強いが、７０度の湯なら約５秒、６０度の湯でも１５分で死滅するものである。
【０００４】
【発明が解決しようとする課題】
しかし、上記した従来の循環温浴器を用いた「２４時間風呂」は、一定の温度の湯が常に循環するもので、その湯の温度は、レジオネラ菌が繁殖するのにちょうどいい範囲となっており、レジオネラ菌の繁殖を抑えることが難しいという第一の問題点があった。
【０００５】
さらに、近年の湯の浄化をする濾過器は、人体から出た老廃物を分解する浄化装置に微生物を使用していることが多く、菌の宿主となるアメーバ類が生息しやすい環境になっていた。すなわち、かかる微生物を利用しているため、高温殺菌処理等を行うと、微生物まで死滅してしまうため、高温殺菌処理が行い難いという第二の問題点があった。
【０００６】
そこで、請求項１記載の発明は、上記した従来の技術の有する第一および第二の問題点に鑑みてなされたものであり、その目的とするところは、循環されてきた湯を高温加熱部により、７０度以上の温度に加熱して、レジオネラ菌等の細菌を加熱殺菌処理することができて、レジオネラ菌等の細菌の繁殖を抑えることができるばかりでなく、濾過器に微生物を使用した浄化装置を使用しても、高温殺菌により、かかる微生物が影響を受けない循環温浴器を提供しようとするものである。
【０００７】
これに加え、この請求項１記載の発明は、高温に加熱殺菌処理した湯の温度を、高温に加熱しないバイパス経路からの湯と混合させることで適温に調整するため、一旦、加熱した湯を冷却部により、冷却することができて、浴槽の内部に高温に加熱された湯を直接、送給することがない循環温浴器を提供しようとするものである。
【０００８】
請求項２記載の発明は、上述した請求項１記載の発明と同様に、循環されてきた湯を高温加熱部により、７０度以上の温度に加熱して、レジオネラ菌等の細菌を加熱殺菌処理することができて、レジオネラ菌等の細菌の繁殖を抑えることができるとともに、高温に加熱した高温加熱経路からの湯と、高温に加熱しない高温加熱部を有しない非加熱経路からの湯とを冷却部で混合したものを浴槽に供給しているため、高温に加熱した湯の温度を、入浴に適当な温度にまで低下させることができて、浴槽の内部に高温に加熱された湯を直接、送給することがなく、しかもこの浴槽への戻り側に設けた濾過器に微生物を使用した浄化装置を使用しても、高温殺菌により、かかる微生物が影響を受けないようにする循環温浴器を提供しようとするものである。
【０００９】
これに加え、請求項３記載の発明は、浴槽の内部の湯を、浴槽の長手方向の一端側から順に加熱殺菌処理を行うことができ、最終的に浴槽全体の湯の加熱処理をすることができる循環温浴器を提供しようとするものである。
これに加え、請求項４記載の発明は、更に、浴槽内部の湯を、浴槽内部の上下左右の位置に偏ることなく、浴槽全体に渡って加熱殺菌処理することができる循環温浴器を提供しようとするものである。
【００１０】
【００１１】
【課題を解決するための手段】
本発明は、上記した目的を達成するためのものである。
請求項１記載の発明は、浴槽(11)内の湯を浴槽(11)の内面に開口した吸入口(40)から取り出して浴槽(11)の内面に開口した排出口(50)から浴槽(11)内に戻すループ状の循環路(20)と、排出口(50)及び吸入口(40)の間の循環路(20)の途中に位置して内部の湯を強制的に循環させるためのポンプ(60)と、この循環路(20)の途中に位置して循環路(20)内の湯を７０℃以上の高温に加熱する高温加熱部(30)と、この高温加熱部(30)で加熱された湯を冷却するための冷却部(70)と、前記循環路(20)の途中に設けられ循環されてきた浴槽(11)の湯を浄化することができる濾過部(90)とを備えた循環温浴器(10)であって、循環路(20)の一部を、高温加熱部(30)を有する高温加熱経路(21)と、この高温加熱経路(21)からバイパス状に延びるとともに高温加熱部(30)を有しないパイパス経路(22)とで構成し、高温加熱経路(21)へのバイパス経路(22)の合流部を冷却部(70)とし、この冷却部(70)において高温加熱経路(21)を通って高温に加熱された湯とバイパス経路(22)を通って加熱されていない湯とを混合することにより、適温の湯を排出口(50)から浴槽(11)に供給可能に形成するとともに、前記バイパス経路(22)の途中に濾過部(90)を設けたことを特徴とする。
【００１２】
このような構成による請求項１記載の発明によれば、浴槽(11)内の湯を循環させて、循環されてきた湯を高温加熱部(30)により、７０度以上に加熱している。これにより、通常の浴槽(11)の湯の温度では死滅しない、若しくは逆に繁殖するような細菌、例えばレジオネラ菌等の細菌を死滅させることができる。
【００１３】
さらに、このような請求項１記載の発明によれば、高温加熱部(30)と排出口(50)との間に加熱された湯を冷却するための冷却部(70)を備えているから、一旦、加熱殺菌のために高温に加熱した湯を冷却することができて、７０度近傍の高温に加熱した湯がそのまま、直接、浴槽の内部に送給されることを抑えることができる。すなわち、入浴に適した温度の湯を浴槽の内部に送給することができ、浴槽の内部に人が入っていても、高温の湯を攪拌させる必要もなく、快適な入浴を行うことができる。
【００１４】
また、このような請求項１記載の発明によれば、濾過部(90)が、高温加熱経路(21)からバイパス状に延びるとともに高温加熱部(30)を有しないパイパス経路(22)の途中に設けられ、浴槽(11)から回収されてこのバイパス経路(22)を通る湯は、低温状態のままで濾過部(90)を通って浄化される。また、高温加熱部(30)で高温加熱処理された湯は、濾過部(90)を通ることなく、冷却部(70)で前記バイパス経路(22)からの湯と混合、冷却されて、浴槽(11)に戻ることになる。従って、高温加熱部(30)により高温加熱処理されて高温になった湯が、直接、濾過部(90)を通ることがない。これにより、濾過部(90)に微生物を使用した浄化装置を使用しても、高温になった湯が濾過部(90)を通過して、かかる微生物が高温になった湯により直接、影響を受けることを抑えることができる。
【００１５】
請求項２記載の発明は、浴槽(11)内の湯を浴槽(11)の内面に開口した吸入口(40)から取り出して浴槽(11)の内面に開口した排出口(50)から浴槽(11)内に戻すループ状の循環路(20)と、排出口(50)及び吸入口(40)の間の循環路(20)の途中に位置して内部の湯を強制的に循環させるためのポンプ(60)と、この循環路(20)の途中に位置して循環路(20)内の湯を７０℃以上の高温に加熱する高温加熱部(30)と、この高温加熱部(30)で加熱された湯を冷却するための冷却部(70)と、前記循環路(20)の途中に設けられ循環されてきた浴槽(11)の湯を浄化することができる濾過部(90)とを備えた循環温浴器(10)であって、循環路(20)の一部を、高温加熱部(30)を有する高温加熱経路(21)と、高温加熱部(30)を有しない非加熱経路(23)とから分岐させて構成し、高温加熱経路(21)と非加熱経路(23)との合流部を冷却部(70)とし、この冷却部(70)において高温加熱経路(21)を通って高温に加熱された湯と非加熱経路(23)を通って加熱されていない湯とを混合することにより、適温の湯を排出口(50)から浴槽(11)に供給可能に形成するとともに、この冷却部(70)から浴槽(11)への戻り側の循環路(20)に濾過部(90)を設けたことを特徴とする。
【００１６】
このような請求項２記載の発明によれば、上述した請求項１とほぼ同等の作用効果が得られるとともに、高温加熱経路(21)により高温に加熱された湯と、高温加熱部(30)を有しない非加熱経路(23)からの高温に加熱されていない湯とを混合したものを、浴槽(11)に供給している。これにより、浴槽(11)の内部に供給する湯の温度を入浴に適当な温度にまで低下させることができる。すなわち、高温に加熱された湯を直接、浴槽(11)内に供給することがなく、浴槽(11)内に人が入っていても、高温の湯を攪拌させる等の作業が不要となり、快適な入浴をすることができる。
さらに、濾過部(90)が、高温加熱経路(21)と非加熱経路(23)との合流部による冷却部(70)から浴槽(11)への循環路(20)中に設けられているから、濾過部(90)を通る湯は低温状態にあり、高温加熱部(30)により高温加熱処理されて高温になった湯が、直接、濾過部(90)を通ることがない。これにより、濾過部(90)に微生物を使用した浄化装置を使用しても、高温になった湯が濾過部(90)を通過して、かかる微生物が高温になった湯により直接、影響を受けることを抑えることができる。
【００１７】
請求項３記載の発明は、上記した請求項２記載の特徴点に加え、吸入口(40)は、方形状の浴槽(11)の長手方向の一端側の内面に形成され、排出口(50)は、浴槽(11)の長手方向の他端側の内面であって、前記吸入口が形成された面と対向する面に形成されていることを特徴とする。
このような請求項３記載の発明によれば、浴槽(11)の長手方向の一端側の内面に吸入口(40)を形成し、その他端側に排出口(50)を形成している。このため、浴槽(11)の一端側の吸入口(40)から加熱殺菌するために浴槽(11)内の湯を回収し、浴槽(11)の他端側の排出口(50)から加熱殺菌した湯を浴槽(11)の内部に供給することができる。これを連続して行うことにより、浴槽(11)の内部の湯は、長手方向の一端側から順に高温加熱部(30)に送給されて、高温加熱処理が施される。そして、長手方向の他端側の排出口(50)から高温加熱処理が施された湯が供給され、その処理済みの湯に押されて、高温加熱未処理の湯が、浴槽(11)の内部の吸入口(40)のある長手方向の一端側に移動する。
これを更に、連続して行うことにより、浴槽(11)の内部の湯をくまなく、全体として高温加熱処理することができる。
【００１８】
請求項４記載の発明は、上記した請求項２または請求項３記載の特徴点に加え、吸入口(40)は、浴槽(11)の一つの面の上下左右であって、右上部、左上部、右下部及び左下部に形成され、右上部及び左下部の吸入口(40)と、左上部及び右下部の吸入口(40)と、のいずれか一方が、高温加熱部(30)を有する高温加熱経路(21)に接続され、いずれか他方が、高温加熱部(30)を有しない非加熱経路(23)に接続されていることを特徴とする。
【００１９】
このような請求項４記載の発明によれば、吸入口(40)が、浴槽(11)の一つの面の右上部、左上部、右下部、左下部に形成されており、右上部及び左下部の吸入口(40)と、左上部及び右下部の吸入口(40)とのいずれか一方が、高温加熱経路(21)に接続され、いずれか他方が、非加熱経路(23)に接続されている。このため、浴槽(11)の長手方向の一端側の内面の上部の左右いずれか一方と、下部の左右いずれか他方との位置には、高温加熱経路(21)に接続される吸入口(40)が存在することとなり、浴槽(11)の当該内面の上下のうちいずれか一方に加熱処理が未処理の湯が偏って存在することがなく、さらに、当該内面の左右のうちいずれか一方に加熱処理が未処理の湯が偏って存在することを抑えることができる。これにより、浴槽(11)の特定の位置のみの湯を加熱殺菌処理を施して、加熱殺菌されない湯が浴槽(11)の内部の特定の位置に偏ることを抑えることができ、浴槽(11)の内部の湯を、その上下左右の位置に偏ることなく、浴槽(11)全体に渡って加熱殺菌処理することができる。
【００２０】
【００２１】
【発明の実施の形態】
以下、本発明の実施の形態を図面に基づいて、更に詳しく説明する。
図１は、本発明の第一の実施の形態を示すものであり、循環温浴器の概略模式図を示すものである。
まず、本実施の形態の構成について説明する。
【００２２】
本実施の形態に係る循環温浴器は、浴槽11の湯を浴槽11から取り出して浴槽11に戻すループ状の循環路20と、この循環路20の途中に位置して、浴槽11の湯を高温に加熱する高温加熱部30とを備えているものである。また、前記循環路20は、浴槽11から湯を吸入して高温加熱部30に送出するために浴槽11の内面に開口した吸入口40と、循環路20の途中に位置して、内部の湯を強制的に循環させるための電動モーターを組み込んだポンプ60と、循環されてきた浴槽11の湯を浄化することができる濾過部90と、高温加熱部30から送出された湯を浴槽11に戻すために浴槽11の内面に開口した排出口50とを備えている。
ここで、本実施の形態に係る循環温浴器10は、循環路20が、湯を７０度以上の温度に加熱する高温加熱部30を有する高温加熱経路21と、この高温加熱経路21からバイパス状に延びるとともに高温加熱部30を有しないバイパス経路22とを備えている。そして、冷却部70は、高温加熱経路21を通って７０度以上の高温に加熱された湯と、バイパス経路22を通って加熱されていない湯とを混合することにより、４０度程度の入浴に適した温度の湯を排出口50から浴槽11に供給可能に形成してあるものである。そして、高温加熱部30と、排出口50との間には、高温加熱部30により加熱された湯を冷却するための冷却部70を備えている。すなわち、この循環温浴器10は、循環路20に沿って、吸入口40、ポンプ60、高温加熱部30、冷却部70及び排出口50が順に形成されるとともに、高温加熱部30を通らないバイパス経路22の途中に、濾過部90を設けた構造となっている。
なお、バイパス経路22の経路の途中には、特に図示しないが、バイパス経路22の内部を湯が逆流しないような逆流防止機能を有する逆流防止弁が形成されている。
【００２３】
前記濾過部90は、種々の透水性を有する微小の網目状で汚れ等を濾したり、吸着させたりすることが可能な複数のフィルターと、人体から出た老廃物を分解可能な浄化機能を有する微生物を使用した浄化装置を組み合わせて形成されているものである。
【００２４】
前記高温加熱部30は、ワイヤ状の導体に電気を通電させることにより、その電気抵抗により発生する熱を熱源とするもので、発生する熱量を調整することができ、内部に設置した温度センサーにより、湯の加熱温度を自由に設定することができるように形成されているものである。そして、この高温加熱部30は、その内部において、浴槽11の湯を、７０度以上に加熱し、所定の時間だけかかる温度で維持できるように設定されている。
【００２５】
前記冷却部70は、高温加熱部30により加熱された湯に、高温加熱部30を通らないバイパス経路22を通った湯を合流させることで、冷却するように構成され、これにより高温加熱部30により高温になった湯の温度を低下させることができる。
【００２７】
次に、上記した実施の形態の作用及び効果について説明する。
本実施の形態に係る循環温浴器10は、浴槽11の内部の湯を循環させて、循環されてきた湯を高温加熱部30により、７０度以上に加熱している。これにより、通常の浴槽11の湯の温度では死滅しない、若しくは逆に繁殖するような細菌、例えばレジオネラ菌等の細菌を死滅させることができる。
【００２８】
また、この循環温浴器10は、高温加熱部30を有する高温加熱経路21と、高温加熱経路21からバイパスされ高温加熱部30を有しないバイパス経路22との合流部に、加熱された湯を冷却するための冷却部70を備えている。これにより、一旦、加熱殺菌のために高温に加熱した湯を冷却することができて、７０度近傍の高温に加熱した湯がそのまま、直接、浴槽11の内部に送給されることを抑えることができる。すなわち、入浴に適した温度の湯を浴槽11の内部に送給することができ、浴槽11の内部に人が入っていても、高温の湯を攪拌させる必要もなく、快適な入浴を行うことができる。
【００２９】
【００３０】
また、本実施の形態に係る循環温浴器10は、濾過部90が、高温加熱部30を有しないバイパス経路22の途中に設けているから、高温加熱部30により高温加熱処理されて７０度以上の高温になった湯が、直接、濾過部90を通ることがない。これにより、濾過部90に使用している微生物を使用した浄化装置内に、７０度以上の高温になった湯が、直接、通過することがなく、かかる浄化装置内の微生物が７０度以上の高温になった湯により、死滅する等の影響を受けることを抑えることができる。
【００３１】
【００３２】
さらに、本実施の形態は、高温加熱経路21により７０度以上の高温に加熱された湯と、バイパス経路22からの高温に加熱されていない湯とを混合したものを、浴槽11に供給している。これにより、浴槽11の内部に供給する湯の温度を入浴に適当な温度にまで低下させることができる。すなわち、高温に加熱された湯を直接、浴槽11の内部に供給することがなく、浴槽11の内部に人が入っていても、高温の湯を攪拌させる等の作業が不要となり、快適な入浴をすることができる。
なお、濾過部90には、特に図示していないが、供給される湯の供給量を適当に調整することができる可変バルブが形成されてあり、この可変バルブを適当に調整することにより、バイパス経路22を流れる湯の量を変化させることができる。これにより、高温加熱経路21とバイパス経路22とを流れる湯の混合比を調整することができて、浴槽11に排出口50から供給する湯の温度を調整することができる。
【００３３】
【００３４】
次に、第二の実施の形態について説明する。
図２は、本発明の第二の実施の形態であって、循環温浴器の概略斜視図を示すものである。
本実施の形態に係る循環温浴器10は、吸入口40が、方形状の浴槽11の長手方向の手前側の内面に形成され、排出口50は、浴槽11の長手方向の奥側の内面であって、前記吸入口40が形成された面と対向する面に形成されている。そして、前記吸入口40は、浴槽11の手前側の内面の上下左右であって、浴槽11の内部から見て、右上部、左上部、右下部及び左下部にそれぞれ、右上部吸入口41、左上部吸入口42、右下部吸入口43及び左下部吸入口44が形成されている。そして、右上部吸入口41及び左下部吸入口44に湯を７０度以上の高温に加熱する高温加熱部30を有する高温加熱経路21が接続されている。また、左上部吸入口42及び右下部吸入口43に、高温加熱部30を有しない非加熱経路23が接続されている。そして、冷却部70は、高温加熱経路21を通って温度が７０度以上の高温に加熱された湯と、非加熱経路23を通って加熱されていない湯とを混合することにより、４０度程度の入浴に適した温度の湯を排出口50から浴槽11に供給可能に形成されているものである。
すなわち、循環路20は、四個の吸入口40から冷却部70により一本にまとめられ、冷却部70の先にはポンプ60が配置され、ポンプ60の先には濾過部90が形成され、濾過部90から排出口50に接続されているものである。
その他の構成は、第一の実施の形態と略同様であって、同様の部分には、同一の部品番号を付与して説明を省略する。
【００３５】
本実施の形態に係る循環温浴器10は、以下のような作用及び効果を奏する。
本実施の形態は、浴槽11の長手方向の手前側の内面に吸入口40を形成し、その反対側の奥側の内面に排出口50を形成している。このため、浴槽11の手前側の吸入口40から加熱殺菌するために浴槽11内の湯を回収し、浴槽11の奥側の排出口50から加熱殺菌した湯を浴槽11の内部に供給することができる。これを連続して行うことにより、浴槽11の内部の湯は、長手方向の手前側から順に高温加熱部30に送給されて、高温加熱処理が施される。そして、長手方向の奥側の排出口50から高温加熱処理が施された湯が供給され、その処理済みの湯に押されて、高温加熱未処理の湯が、浴槽11の内部の吸入口40のある長手方向の手前側に移動する。すなわち、浴槽11の内部において、湯が奥側から手前側に向かって流れて移動する。
これを更に、連続して行うことにより、浴槽11の内部の湯をくまなく、温度が７０度以上の高温加熱殺菌処理をすることができる。これにより、第一の実施の形態の作用及び効果と同様にレジオネラ菌等の細菌を死滅させて、その繁殖を抑えることができる。
【００３６】
また、本実施の形態に係る循環温浴器10は、吸入口40が、浴槽11の一つの面の右上部、左上部、右下部、左下部に形成されており、右上部吸入口41及び左下部吸入口44が、高温加熱経路21に接続され、左上部吸入口42及び右下部吸入口43が、非加熱経路23に接続されている。このため、浴槽11の長手方向の一端側の内面の右側上部と、左側下部との位置には、高温加熱経路21に接続される吸入口40が存在することとなり、浴槽11の当該内面の上下のうちいずれか一方に加熱処理が未処理の湯が偏って存在することがなく、さらに、当該内面の左右のうちいずれか一方に加熱処理が未処理の湯が偏って存在することを抑えることができる。
これにより、浴槽11の特定の位置のみの湯を加熱殺菌処理を施して、加熱殺菌されない湯が浴槽11の内部の特定の位置に偏ることを抑えることができ、浴槽11の内部の湯を、その上下左右の位置に偏ることなく、浴槽11全体に渡って加熱殺菌処理することができる。
【００３７】
また、本実施の形態に係る循環温浴器10は、高温加熱経路21により７０度以上の高温に加熱してあるが、かかる加熱した湯は、加熱していない湯と混合させる冷却部70により４０度程度の適温に低下させた後、濾過部90に入るように設定されている。このため、濾過部90の内部の微生物を利用した浄化装置の内部の微生物が７０度以上の高温の湯で死滅する等の影響を受けることがない。
【００３８】
【発明の効果】
本発明は、以上のように構成されているので、以下に記載されるような効果を奏する。
請求項１記載の発明によれば、循環されてきた湯を高温加熱部により、７０度以上の温度に加熱して、レジオネラ菌等の細菌を加熱殺菌処理することができて、レジオネラ菌等の細菌の繁殖を抑えることができるとともに、濾過器に微生物を使用した浄化装置を使用しても、高温殺菌により、かかる微生物が影響を受けない循環温浴器を提供することができる。
【００３９】
さらに、この請求項１記載の発明によれば、一旦、加熱した湯を冷却部により、冷却することができて、浴槽の内部に高温に加熱された湯を直接、送給することがなく、入浴に適した温度に調整した湯を浴槽に送給可能な循環温浴器を提供することができる。
【００４０】
請求項２記載の発明によれば、上述した請求項１記載の発明と同様に、循環されてきた湯を高温加熱部により、７０度以上の温度に加熱して、レジオネラ菌等の細菌を加熱殺菌処理することができて、レジオネラ菌等の細菌の繁殖を抑えることができるとともに、高温に加熱した高温加熱経路からの湯と、高温に加熱しない高温加熱部を有しない非加熱経路からの湯とを冷却部で混合したものを浴槽に供給しているため、高温に加熱した湯の温度を、入浴に適当な温度にまで低下させることができて、浴槽の内部に高温に加熱された湯を直接、送給することがなく、しかもこの浴槽への戻り側に設けた濾過器に微生物を使用した浄化装置を使用しても、高温殺菌により、かかる微生物が影響を受けないようにする循環温浴器を提供することができる。
【００４１】
請求項３記載の発明によれば、上述した請求項２に記載の発明による作用効果に加えて、浴槽の内部の湯を、浴槽の長手方向の一端側から順に加熱殺菌処理を行うことができ、最終的に浴槽全体の湯の加熱処理をすることができる循環温浴器を提供することができる。
請求項４記載の発明によれば、上述した請求項２，３に記載の発明による作用効果に加えて、更に、浴槽内部の湯を、浴槽内部の上下左右の位置に偏ることなく、浴槽全体に渡って加熱殺菌処理することができる循環温浴器を提供することができる。
【００４２】
【図面の簡単な説明】
【図１】  本発明の第一の実施の形態であって、循環温浴器を示す概略模式図である。
【図２】  本発明の第二の実施の形態であって、循環温浴器を示す概略模式図である。
【符号の説明】
10…循環温浴器、11…浴槽、20…循環路、21…高温加熱経路、22…バイパス経路、23…非加熱経路、30…高温加熱部、40…吸入口、41…右上部吸入口、42…左上部吸入口、43…右下部吸入口、44…左下部吸入口、50…排出口、60…ポンプ、70…冷却部、90…濾過部。
【図１】
0003878276.tif 000002
【図２】
0003878276.tif 000003